【事件の表示】
　平成３年特許願第５５７４３号「照明装置」拒絶査定不服審判事件〔平成４年８月３日出願公開、特開平４−２１２２９０号〕について、次のとおり審決する。
【結　論】
　本件審判の請求は、成り立たない。
【理　由】
１．手続の経緯・本願発明
　本願は、平成３年２月２８日（優先権主張平成２年８月９日）の出願であって、その請求項１に係る発明（以下、「本願発明」という。）は、平成１６年１０月２５日付け手続補正書によって補正された明細書及び図面の記載からみて、特許請求の範囲の請求項１に記載された次のとおりのものと認める。
「白熱電球を光源とし、交流電源を電源とする照明装置に於て、一灯又は二灯以上の白熱電球にその定格を越え、当該交流電源の実効電圧を上回る直流電圧を供給し得るスイッチング電源回路を設け、一灯又は二灯以上の白熱電球にその定格の約１０５乃至１３５％の直流電圧を印加して、色温度約２，９００Ｋ以上で全光束が９００ルーメン以上の光を輻射せしめる照明装置であって、当該スイッチング電源回路が、交流を直流化するための整流・平滑回路と、その整流・平滑回路の出力側の主電路に接続された高速でオン・オフ可能なスイッチング素子と、このスイッチング素子を介して得られる出力を平滑する平滑回路と、平滑回路の出力電圧を基準電圧に対して比較する比較回路と、この比較回路からの出力に応じて、任意のパルス幅の制御信号を上記スイッチング素子のオン・オフを制御する制御極に供給するパルス幅変調回路と、始動に際して、パルス幅変調回路から導出される制御信号のパルス幅を徐々に広げることによって、白熱電球に印加される直流電圧を低電圧から上記所定の基準電圧に漸増させる遅延回路とを含んでなる照明装置。」
　
２．引用例
　これに対して、当審における、平成１６年８月１６日付けで通知した拒絶の理由に引用した特開平２−７２５９９号公報（以下、「引用例」という。）には、照明装置に関し、第４図と共に次の事項が記載されている。
・「（１）光源としてクリプトン電球を使用する照明装置に於て、クリプトン電球にその定格を越える電圧を供給し得る電源手段を設け、クリプトン電球にその定格を越える電圧を印加して点灯することを特徴とする照明装置。
（２）クリプトン電球にその定格の110％を越え150％を越えない電圧を印加することを特徴とする特許請求の範囲第（１）項記載の照明装置。
（３）点灯時に於けるクリプトン電球の色温度が約2,900K以上であることを特徴とする特許請求の範囲第（１）項又は第（２）項記載の照明装置。
（４）点灯時に於けるクリプトン電球の全光束が約1,000ルーメン以上であることを特徴とする特許請求の範囲第（１）項、第（２）項又は第（３）項記載の照明装置。
（５）その電源手段が直流電源であることを特徴とする特許請求の範囲第（１）項、第（２）項、第（３）項又は第（４）項記載の照明装置。
（６）その電源手段が、交流を、平滑手段を有する整流回路により整流・平滑して得られる直流電圧を供給するものであることを特徴とする特許請求の範囲第（１）項、第（２）項、第（３）項、第（４）項又は第（５）項記載の照明装置。」（第１頁左下欄第５行〜右下欄第７行）
・「斯かるクリプトン電球にその定格を越える電圧を供給する電源手段とは、その出力端に一個若しくは複数個のクリプトン電球を接続したときに、それらクリプトン電球にその定格を越える電圧、望ましくは、その定格の110％を越え150％を越えない交流若しくは直流電圧を供給し得る電源装置であればよく、斯かる電源装置は電子回路などにより安定化されていてもよい。」（第３頁左上欄第１６行〜右上欄第３行）
・「また、例えば、商用電源や発電機などよりの交流をコンデンサなどの平滑手段を有する整流回路により整流・平滑し、得られる直流電圧をインバータ回路により変換して得られるクリプトン電球の定格を越える高周波電圧をそのまま若しくは整流回路によりその定格を越え、望ましくは、定格の110％を越え150％を越えない範囲に直流化してクリプトン電球に印加して点灯することもできる。
　上記の方法のうち、平滑手段を有する整流回路により交流電圧を直流化してクリプトン電球に供給する方法は、電源手段の回路構成が簡単で平滑手段の容量を適宜値に設定するだけでクリプトン電球の定格を越え150％を越えない直流電圧が極めて容易に得られるだけでなく、得られる光はチラツキなく、しかも、クリプトン電球にその定格を越える交流電圧を単に印加して点灯する場合と比較して太陽光により近い自然なものであり、照明一般に極めて有利に使用することができるのである。」（第３頁左下欄第５行〜右下欄第４行）
・「第４図は、インバータ回路を使用する本発明の別の実施例の電気回路である。
　ブリッジ整流器D1の交流側は交流電源ACに接続され、また、その直流側は平滑コンデンサC1に接続されている。平滑コンデンサC1の両端には高周波電流を形成するインバータ回路（４）の入力端を接続するとともに、そのインバータ回路（４）の出力端には整流用ダイオードD2を介してコンデンサC2による積分回路が接続されている。クリプトン電球KLはコンデンサC2の両端に接続されている。インバータ回路（４）にはインバータトランスＴとトランジスタTrとが設けられ、インバータトランスＴの一次巻線L1にはコンデンサC3が並列接続され、また、その両端は平滑コンデンサC1の正極側とトランジスタTrのコレクタに接続されている。インバータトランスＴに於けるベース巻線L2の一端はコンデンサC4を介してトランジスタTrのベースに接続され、また、他の一端は平滑コンデンサC1の負極側に接続されている。トランジスタTrのベースは抵抗Ｒを介して平滑コンデンサC1の正極側に接続されている。インバータトランスＴの二次巻線L3はインバータ回路（４）の出力端となっており、クリプトン電球KLに供給される電圧は、その平均値が交流電源ACに於ける電圧の実効値を越え、望ましくは、その110％を越え150％を越えない範囲に、また、クリプトン電球KLのフィラメント電流も定格の、望ましくは、110％を越え150％を越えない範囲になるようインバータ回路（４）及びコンデンサC2の回路定数を設定している。
　本例の動作について説明すると、電源が投入されると、交流電源ACよりブリッジ整流器D1に流入した交流電流は、ブリッジ整流器D1により全波整流された後、平滑コンデンサC1により平滑され、脈流若しくは直流となってインバータ回路（４）に供給される。これによりインバータ回路（４）は発振動作を開始し、インバータトランスＴの二次巻線L3に高周波が出力される。この高周波はダイオードD2により半波整流され、さらにコンデンサC2で積分された後、クリプトン電球KLに供給される。
　本例は斯く構成されているので、クリプトン電球にその定格を越える、望ましくは、その110％を越え150％を越えない直流電圧を印加して点灯し、クリプトン電球から色温度約2,900K以上、望ましくは、約2,950乃至3,050Kの演色性に優れた自然な光が長時間に亙って得られる。」（第７頁左上欄第６行〜左下欄第１２行）
　上記記載事項を総合すると、上記引用例には、第４図の実施例として、次の発明（以下、「引用発明」という。）が記載されているものと認められる。
「クリプトン電球を光源とし、交流電源を電源とする照明装置に於て、一個若しくは複数個のクリプトン電球にその定格を越え、その平均値が交流電源に於ける電圧の実効値を越える直流電圧を供給し得る電源手段を設け、一個若しくは複数個のクリプトン電球にその定格の110％を越え150％を越えない範囲の直流電圧を印加して、色温度が約2,900K以上で、全光束が約1,000ルーメン以上で点灯する照明装置であって、当該電源手段が、交流電源に接続されたブリッジ整流器D1及び平滑コンデンサC1と、そのブリッジ整流器D1及び平滑コンデンサC1の出力端に接続された発振動作をし高周波を出力するインバータ回路４のインバータトランスＴの一次巻線L1に接続されたトランジスタTrと、このトランジスタTrを有するインバータ回路４の出力端に接続された整流用ダイオードD2及びコンデンサC2とを含んでなる照明装置。」
　
３．対比
　本願発明と引用発明を対比すると、その作用・機能からみて、後者における「クリプトン電球」が前者における「白熱電球」に相当し、以下同様に、「一個若しくは複数個」が「一灯又は二灯以上」に、「その平均値が交流電源に於ける電圧の実効値を越える直流電圧」が「当該交流電源の実効電圧を上回る直流電圧」に、「定格の110％を越え150％を越えない範囲の直流電圧」が「定格の約１０５乃至１３５％の直流電圧」に、「色温度が約2,900K以上で、全光束が約1,000ルーメン以上で点灯する」が「色温度約２，９００Ｋ以上で全光束が９００ルーメン以上の光を輻射せしめる」に、「交流電源に接続されたブリッジ整流器D1及び平滑コンデンサC1」が「交流を直流化するための整流・平滑回路」に、「出力端に接続された発振動作をし高周波を出力するインバータ回路４のインバータトランスＴの一次巻線L1に接続されたトランジスタTr」が「出力側の主電路に接続された高速でオン・オフ可能なスイッチング素子」に、「トランジスタTrを有するインバータ回路４の出力端に接続された整流用ダイオードD2及びコンデンサC2」が「スイッチング素子を介して得られる出力を平滑する平滑回路」に、それぞれ相当している。
　また、引用発明における「電源手段」は、トランジスタTr（スイッチング素子）を有するインバータ回路４を含むものであるから、本願発明における「スイッチング電源回路」に相当しているといえる。
　したがって、両者は、
「白熱電球を光源とし、交流電源を電源とする照明装置に於て、一灯又は二灯以上の白熱電球にその定格を越え、当該交流電源の実効電圧を上回る直流電圧を供給し得るスイッチング電源回路を設け、一灯又は二灯以上の白熱電球にその定格の約１０５乃至１３５％の直流電圧を印加して、色温度約２，９００Ｋ以上で全光束が９００ルーメン以上の光を輻射せしめる照明装置であって、当該スイッチング電源回路が、交流を直流化するための整流・平滑回路と、その整流・平滑回路の出力側の主電路に接続された高速でオン・オフ可能なスイッチング素子と、このスイッチング素子を介して得られる出力を平滑する平滑回路とを含んでなる照明装置」
である点で一致し次の点で相違している。
（相違点）
　スイッチング電源回路に関し、本願発明が「平滑回路の出力電圧を基準電圧に対して比較する比較回路と、この比較回路からの出力に応じて、任意のパルス幅の制御信号をスイッチング素子のオン・オフを制御する制御極に供給するパルス幅変調回路と、始動に際して、パルス幅変調回路から導出される制御信号のパルス幅を徐々に広げることによって、白熱電球に印加される直流電圧を低電圧から所定の基準電圧に漸増させる遅延回路」を含んでいるのに対し、引用発明は、かかる比較回路、パルス幅変調回路及び遅延回路を有していない点。
　
４．当審の判断
　上記相違点について以下検討する。
　ところで、本願発明のスイッチング電源回路において、「平滑回路の出力電圧を基準電圧に対して比較する比較回路と、この比較回路からの出力に応じて、任意のパルス幅の制御信号をスイッチング素子のオン・オフを制御する制御極に供給するパルス幅変調回路」を備えることの技術的な意義は、本願明細書の段落【００２２】の「帰還増幅回路５は、出力電圧検出回路により分圧された抵抗Ｒ２両端の電圧と基準電圧ＶRとを比較し、その誤差を増幅した後、パルス幅変調回路７に供給する。パルス幅変調回路７は、発振回路６に同期し、任意のパルス幅の制御信号をスイッチング素子３の制御極に供給することができ、帰還増幅回路５の出力電圧が所定の電圧より低い場合には、スイッチング素子３に供給する制御電圧のパルス幅を広げ、逆に、所定の電圧より高い場合にはパルス幅を狭めて出力電圧を安定化する。」なる記載によれば、出力電圧を安定化することにあるものと解される。
　また、本願発明のスイッチング電源回路において、「始動に際して、パルス幅変調回路から導出される制御信号のパルス幅を徐々に広げることによって、白熱電球に印加される直流電圧を低電圧から所定の基準電圧に漸増させる遅延回路」を含ませることの技術的な意義は、同段落【００２５】の「また、一般に、常温下に於ける白熱電球のフィラメント抵抗は白熱時の数分の一程度と言われ、この状態でいきなりその定格を越える直流電圧を印加するとフィラメントに多大の突入電流が流れ、白熱電球の寿命を短縮しかねない。斯かる突入電流を防止するには、スイッチング素子３に印加する制御電圧のパルス幅を漸増し、例えば、電源スイッチを閉路したり電源スイッチを閉路した状態で白熱電球を交換する度に、白熱電球に印加する直流電圧がある一定の低電圧から所定の過電圧に漸増するソフトスタート回路を設ければよい。」なる記載によれば、突入電流を防止すべく印加電圧を漸増させるためのソフトスタート回路を提供することにあるものと解される。
　しかしながら、上記の比較回路及びパルス幅変調回路を備えることにより出力電圧を安定化することや、ソフトスタート回路を設けることにより突入電流を防止することは、例えば、特開昭６２−２８１７６０号公報、特開昭６１−２５８６６９号公報、実願昭６０−２４０３０号（実開昭６１−１３９５２６号）のマイクロフィルム等に見られるように、スイッチング電源回路の分野における周知技術である。
　出力電圧の安定化及び突入電流の防止は、照明装置のスイッチング電源回路においても当然に要求されるべき課題であるから、かかる課題の下に、引用発明に、上記周知技術を採用することにより、上記相違点に係る本願発明の構成とする程度のことは、当業者が容易に想到し得えたものというべきである。
　そして、本願発明の奏する効果も、引用発明及び周知技術から当業者が予測し得る範囲内のものであり、格別のものとはいえない。
　
５．むすび
　したがって、本願発明は、引用発明及び周知技術に基いて当業者が容易に発明をすることができたものであるので、特許法第２９条第２項の規定により特許を受けることができない。
　よって、結論のとおり審決する。